(57)【要約】【課題】照明装置自体の外観を向上させることができると共に、当該照明装置による照明効果の向上を実現することができるショーケースを提供する。【解決手段】本発明のショーケース１は、本体内に構成された陳列室１１内を照明装置２１により照明して成るものであって、照明装置２１は、ＬＥＤ素子４０を備えた複数のＬＥＤ照明部材２３と、各ＬＥＤ照明部材２３を保持して本体に取り付けられる保持部材２４と、各ＬＥＤ照明部材２３間に位置して設けられる配線用コネクタ３０と、該コネクタ３０を被覆する反射板２０とを備えている。【選択図】図５
2009198017.tif 000002
【特許請求の範囲】
【請求項１】
本体内に構成された陳列室内を照明装置により照明して成るショーケースにおいて、
前記照明装置は、ＬＥＤ素子を備えた複数のＬＥＤ照明部材と、各ＬＥＤ照明部材を保持して前記本体に取り付けられる保持部材と、前記各ＬＥＤ照明部材間に位置して設けられる配線用コネクタと、該コネクタを被覆する反射板とを備えていることを特徴とするショーケース。
【請求項２】
前記陳列室は前面に開口し、当該前面開口上縁に設けられた冷気吐出口より冷気を吐出し、該開口下縁に設けられた冷気吸込口より吸い込むことにより、当該陳列室の前面開口に冷気エアーカーテンを形成すると共に、前記照明装置を前記冷気吐出口の後側における前記陳列室の天井に取り付け、後下方及び前記天井面に向けて前記ＬＥＤ素子からの光を照射することを特徴とする請求項１に記載のショーケース。
【請求項３】
前記陳列室の天井に取り付けられた取付具を備え、前記保持部材は、前記取付具に着脱可能に係合して取り付けられることを特徴とする請求項２に記載のショーケース。
【発明の詳細な説明】
【技術分野】
【０００１】
本発明は、本体内に陳列室を構成し、該陳列室内を照明装置により照明して成るショーケースに関するものである。
【背景技術】
【０００２】
従来よりこの種ショーケースには、例えば特許文献１に示す如きオープンショーケースがある。このようなオープンショーケースは、断面略コ字状の断熱壁の開口上縁に形成した吐出口から、開口下縁の吸込口に向けて冷気を吐出することにより、前記開口に冷気エアーカーテンを形成する。これにより、断熱壁にて囲繞された陳列室内は所定の温度に冷却される。そして、開口上縁の外側に位置するキャノピーや開口両側縁及び棚前部下面などに複数の蛍光灯を取り付け陳列室内及びショーケース自体の照明を行っていた。
【特許文献１】特開平５−１４６３４６号公報
【発明の開示】
【発明が解決しようとする課題】
【０００３】
ところが、従来のオープンショーケースでは、照明装置として蛍光灯を使用し、当該蛍光灯を陳列室の上前方や陳列室内に架設される棚の下面などに設けられていたため、当該蛍光灯による照明によって、陳列室内に熱負荷が生じる問題があった。一般に、蛍光灯は、電気エネルギーを可視放射、赤外放射、紫外放射に変換し、可視光線を放射することで、照明として用いるものである。その際、熱損失が生じるため、蛍光灯自体のみ成らず、当該蛍光灯による輻射熱によって、陳列室内が加熱される問題がある。
【０００４】
そのため、陳列室内を所定の温度に冷却する冷却ショーケースでは、照明による熱負荷を考慮した冷却運転を行うため、冷却効率の低下を生じる。これにより、ランニングコストの高騰を招く問題があった。また、紫外線が陳列室内に陳列される商品に照射されることから、商品に悪影響を及ぼす問題がある。更に、蛍光灯は、交流を使用するためチラツキが生じる問題があるため、目に悪影響を及ぼす問題がある。
【０００５】
また、蛍光灯は、経年劣化による輝度の低下や点灯不良により、交換作業が余儀なくされる。そのため、使用者は、蛍光灯の交換作業を強いられることとなり、作業が煩雑となる問題がある。交換のため新しい蛍光灯を常備しておく必要があり、当該蛍光灯の保管場所を確保する必要がある。更には、当該蛍光灯内に水銀が含有されていることから、使用後の蛍光灯を容易に廃棄することができないという問題があった。
【０００６】
そこで、近年では、蛍光灯の代替としてＬＥＤ素子を備えたＬＥＤ照明部材が採用されている。この場合、コストの低減を図るべく主にチップタイプのＬＥＤ素子が採用されており、当該ＬＥＤ素子を複数並べて列を構成し、ＬＥＤ照明部材として棚下やキャノピー内に設けられている。
【０００７】
この場合、陳列室の前面開口の左右に渡って構成される単一のＬＥＤ照明部材により照明装置を構成するものとしてもよいが、生産コストの低減及び取扱性の向上を目的として、複数のＬＥＤ照明部材により構成することが考えられる。
【０００８】
しかし、この場合、各ＬＥＤ照明部材から引き出されるリード線は、それぞれのＬＥＤ照明部材間において配線用コネクタによって着脱自在に接続される。当該配線用コネクタは、ＬＥＤ素子が取り付けられる基板に沿って配置され、シェードなどによってＬＥＤ素子と共に隠蔽されていた。
【０００９】
このとき、シェードは、光透過性を確保すべく、透光性の無色透明の材料により構成されているため、当該配線用コネクタが外方から透けて見えてしまい、外観を損ねる問題があった。また、当該配線用コネクタがＬＥＤ素子の近傍に配置されることで、ＬＥＤ素子からの照射光が当該配線用コネクタによって遮られ、効果的に陳列室内を照明することができないという問題があった。
【００１０】
また、当該ＬＥＤ素子は、太さのある蛍光灯の場合と異なり点光源に近いので、棚に載置される商品等によってその光が遮られると、それより後方へ光が届かず、陳列室後方が暗く照明効果が低下する問題がある。そのため、所定の照度を実現可能とするＬＥＤ照明部材をキャノピー内に設けた場合であっても、効果的に陳列室内、特に、上部後方を照明することができないという問題があった。
【００１１】
本発明は、従来の技術的課題を解決するために成されたものであり、照明装置自体の外観を向上させることができると共に、当該照明装置による照明効果の向上を実現することができるショーケースを提供する。
【課題を解決するための手段】
【００１２】
本発明のショーケースは、本体内に構成された陳列室内を照明装置により照明して成るものであって、照明装置は、ＬＥＤ素子を備えた複数のＬＥＤ照明部材と、各ＬＥＤ照明部材を保持して本体に取り付けられる保持部材と、各ＬＥＤ照明部材間に位置して設けられる配線用コネクタと、該コネクタを被覆する反射板とを備えていることを特徴とする。
【００１３】
請求項２の発明のショーケースは、上記発明において、陳列室は前面に開口し、当該前面開口上縁に設けられた冷気吐出口より冷気を吐出し、該開口下縁に設けられた冷気吸込口より吸い込むことにより、当該陳列室の前面開口に冷気エアーカーテンを形成すると共に、照明装置を冷気吐出口の後側における陳列室の天井に取り付け、後下方及び天井面に向けてＬＥＤ素子からの光を照射することを特徴とする。
【００１４】
請求項３の発明のショーケースは、上記発明において、陳列室の天井に取り付けられた取付具を備え、保持部材は、取付具に着脱可能に係合して取り付けられることを特徴とする。
【発明の効果】
【００１５】
本発明によれば、本体内に構成された陳列室内を照明装置により照明して成るショーケースにおいて、照明装置は、ＬＥＤ素子を備えた複数のＬＥＤ照明部材と、各ＬＥＤ照明部材を保持して本体に取り付けられる保持部材と、各ＬＥＤ照明部材間に位置して設けられる配線用コネクタと、該コネクタを被覆する反射板とを備えているので、コネクタを反射板によって隠蔽することができ、外観の向上を図ることができる。
【００１６】
また、保持部材内で乱反射するＬＥＤ素子からの光を更に外部に向けて反射させることができ、陳列室内をより効果的に照明することが可能となる。
【００１７】
請求項２の発明によれば、上記発明に加えて、陳列室は前面に開口し、当該前面開口上縁に設けられた冷気吐出口より冷気を吐出し、該開口下縁に設けられた冷気吸込口より吸い込むことにより、当該陳列室の前面開口に冷気エアーカーテンを形成すると共に、照明装置を冷気吐出口の後側における陳列室の天井に取り付け、後下方及び天井面に向けてＬＥＤ素子からの光を照射するので、後下方及び天井面を効果的に照明することが可能となる。
【００１８】
そのため、例えば陳列室内に複数段の棚が架設されている場合には、最上段の棚上及びその奥方をより明るく照明することができ、浮き立つような照明効果によりショーケース全体の外観・印象の向上、更には、陳列室上部をより広く見せることが可能となる。
【００１９】
請求項３の発明によれば、上記発明に加えて、陳列室の天井に取り付けられた取付具を備え、保持部材は、取付具に着脱可能に係合して取り付けられるので、容易に陳列室の天井にＬＥＤ照明部材を取り付けることが可能となる。照明装置自体の着脱が容易であるため、メンテナンス作業性が向上される。
【発明を実施するための最良の形態】
【００２０】
次に、図面を参照して本発明の実施形態について詳述する。図１は本発明を適用したショーケース１の縦断側面図、図２は図１の部分拡大図をそれぞれ示している。ショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の図示しない側板とから本体が構成されている。
【００２１】
ショーケース１の断熱壁２の内側にはそれぞれ間隔を存して仕切板４及びもう一枚の仕切板３（図２のみ図示する）が取り付けられ、これら仕切板４などと断熱壁２間に内外二層のダクト５、６（図２のみ図示する）が形成されている。内側の仕切板を構成する背部仕切板４Ａの下端前方には、底板９が断熱壁２の底壁２Ａとの間にダクト用の間隔を存して取り付けられており、これら仕切板４及び底板９の内側を陳列室１１としている。
【００２２】
この仕切板４は、背部仕切板４Ａと天井部仕切板４Ｂとから構成されている。ここで、天井部仕切板４Ｂは、図１に示すように前端が後端よりも高くなるように所定角度にて傾斜して形成されると共に、これら背部仕切板４Ａと天井部仕切板４Ｂにより形成される角隅部には、陳列室１１側（斜め下方）に面して鏡部材２２が設けられている。
【００２３】
また、この陳列室１１内には、高さ及び取付角度が変更可能であると共に、陳列室１１内背部の図示しない支柱に取り付けられる一対のブラケット３１及びこれらと共に棚を構成する棚板３２が複数段に渡って架設されている。
【００２４】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、内層ダクト５及び外層ダクト６にそれぞれ連通している。また、開口１２の下縁には、内層吸込口１８と外層吸込口１９が並設されている。
【００２５】
一方、底板９下方後部には断熱壁２の底壁２Ａ上に前記内層ダクト５及び外層ダクト６のそれぞれに対応する図示しない送風機が複数台設置されている。
【００２６】
背部仕切板４Ａ後方の内層ダクト５内には冷却装置の冷却器３９が縦設されており、内層ダクト５に対応した送風機が運転されると冷却器３９と熱交換した冷気は内層ダクト５内を上昇せられ、内層吐出口１６より内層吸込口１８に向かって吐出される。そして、内層吸込口１８から吸い込まれた冷気は再び前記送風機によって加速される。
【００２７】
他方、外層ダクト６に対応した送風機が運転されると外層ダクト６内の空気は外層ダクト６内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて該陳列室１１は冷却される。
【００２８】
次に、図３及び図４を参照して、断熱壁２の天壁２Ｂ前部の構成について説明する。図３は図１の部分拡大図、図４はＬＥＤ照明部材３８の取付状態を示す図である。
【００２９】
断熱壁２の天壁２Ｂ前端（上部前端）には、前方に張り出したキャノピー３３が取り付けられており、このキャノピー３３の内側には、陳列室１１の前面開口１２より外側に延在した状態で反射板４５が取り付けられる。
【００３０】
この反射板４５は、化粧塗装が施された金属板にて構成されており、前部には、長手方向に渡って凹陥された照明取付部４１が形成されている。この照明取付部４１は、下後方に位置する陳列室１１の前面開口１２に向けて開口しており、当該照明取付部４１の前後縁は、開口にいくに従い、互いに近接する方向に少許傾斜して形成されている。
【００３１】
そして、この照明取付部４１の当該開口に対向する面は、照明取付面４１Ａとされており、上前方から陳列室１１の前面開口１２を臨む角度、即ち、後斜め下方の陳列室１１方向に面して構成されており、当該照明取付面４１Ａには、ＬＥＤ照明部材３８が取り付けられている。
【００３２】
このＬＥＤ照明部材３８は、長手方向に延在する基板４２に複数のＬＥＤ素子４０が所定間隔を存して取り付けられており、当該基板４２は、照明取付面４１Ａに当接した状態で、複数の固定ネジ４３・・により固定されている。なお、本実施例において用いられるＬＥＤ素子４０は、日亜化学製のチップタイプの白色のＬＥＤ照明（品番ＮＳ６Ｗ０８３Ｔ）である。また、当該ＬＥＤ素子４０照明部材３８は、一列若しくは、前後に二列以上並設してもよく、本実施例では、二列設けられているものとする。本実施例では、オープンショーケース１の前面開口１２が６尺（約１８３０ｍｍ程度）延在して形成されているため、当該ＬＥＤ素子４０は、１０８個程度使用する。なお、図中４４は、長手方向に渡って複数穿設される排気孔４４である。
【００３３】
そして、照明取付部４１の照明取付面４１Ａは、ＬＥＤ素子４０、基板４２、排気孔４４を下側から囲繞するかたちでシェード４６によってカバーされる。シェード４６は、陳列室１１の前面開口１１に向けて突出するように所定曲率にて湾曲した形状とされている。なお、当該シェード４６は、反射板４５の照明取付部４１に嵌め合わせることによって、着脱自在に取り付けられる。図４では、照明取付部４１の一部にシェード４６が取り付けられている状態を示している。
【００３４】
このシェード４６は、透孔性を有する無色透明の材料により構成されており、本実施例では、ＬＥＤ素子４０からの光を陳列室１１の前面開口１２に対して拡散させるため、ＬＥＤ素子４０側に面する面が平滑に形成されていると共に、ＬＥＤ素子４０とは反対側となるシェード４６の外面は、断面波形若しくはノコギリ刃形状とされている。
【００３５】
これにより、ＬＥＤ素子４０から平行に直進し、シェード４６に入射された光は、断面波形若しくはノコギリ刃形状とされた外面において、多方向に屈折され、広範囲に拡散することが可能となる。
【００３６】
係る構成により、ＬＥＤ素子４０が点灯されると、シェード４６において拡散された後のＬＥＤ素子４０の照射光により、陳列室１１の外側に位置する上前方から効果的に陳列室１１内を照明することが可能となる。
【００３７】
特に、ＬＥＤ素子４０からの照射光は指向性が強いため、各棚板３２上に陳列される商品、特に、牛乳パックやペットボトル入り飲料などの起立した状態で載置され、陳列室１１の前面開口１２に面する商品のフェイス面を効果的に照明することが可能となる。
【００３８】
次に、図２及び図５、図６を参照して陳列室１１の天井部仕切板４Ｂに設けられる照明装置２１について説明する。図５は照明装置２１の平面図、図６は照明装置２１の断面図をそれぞれ示している。
【００３９】
天井部仕切板４Ｂに設けられる照明装置２１は、複数のＬＥＤ照明部材２３と、当該ＬＥＤ照明部材２３を保持して天井部仕切板４Ｂに取り付けられる保持部材２４と、シェード２５とから構成されている。
【００４０】
ＬＥＤ照明部材２３は、上記ＬＥＤ照明部材３８と同様に複数のＬＥＤ素子４０が配設された基板２６により構成されている。なお、係るＬＥＤ照明部材２３は、陳列室１１の長手方向に対し、複数、例えば４つ一列に設けられる。また、各ＬＥＤ照明部材２３に配設されるＬＥＤ素子４０は、上記ＬＥＤ照明部材３８に設けられる場合よりも広い間隔（即ち、全体としてＬＥＤ素子４０の取付数を例えば半数程度）となるように配置する。
【００４１】
保持部材２４は、陳列室１１の天井部仕切板４Ｂに対し、内層吐出口１６の後側に位置して左右に延在して構成される部材であり、熱良導性の金属により構成され、光反射効率の高い塗装が施されている。保持部材２４は、断面略コ字状を呈しており、当該開口両端部には、内方に向けて折曲されてシェード保持部２７Ａ、２７Ｂが形成されている。
【００４２】
天井部仕切板４Ｂに取り付けられた際に、陳列室１１後方又は天井部仕切板４Ｂ側に面する保持部材２４の後壁には、折曲により凹部２８が形成されており、後述する取付具３４の係合部３５と係脱自在に係合される。
【００４３】
一方、陳列室１１前方に面する保持部材２４の前壁側には、天井部仕切板４Ｂ側に延在する係合部２９が折曲形成されている。取付具３４の係合部３６と係脱自在に係合される。
【００４４】
そして、保持部材２４の断面コ字状の開口部と対向する面には、開口部に設けられるシェード２５に対向するように各ＬＥＤ照明部材２３がネジ止め又は両面接着テープなどにより固定される。
【００４５】
ここで、各ＬＥＤ照明部材２３の端部には、それぞれの基板２６からＬＥＤ素子４０に給電を行うためのリード線３７が引き出されており、当該リード線３７の端部には、隣接するＬＥＤ照明部材２３のリード線３７と配線接続するための配線用コネクタ３０が設けられている。そのため、それぞれのＬＥＤ照明部材２３を取り付けた際には、隣接する照明部材２３から引き出されるリード線３７、３７の両配線用コネクタ３０を接続する。
【００４６】
そして、当該配線用コネクタ３０が配置される部分には、当該コネクタ３０を被覆する反射板２０（図５ではハッチングにより示す）が着脱自在に取り付けられる。本実施例において、当該反射板２０は、保持部材２４と同様に光反射効率の高い塗装が施されていると共に、断面が保持部材２４の内面形状に沿って形成される。また、この反射板２０のコネクタ３０を収容する部分には、シェード２５側に突出したコネクタ収容部２０Ａが形成されている。
【００４７】
また、この反射板２０には、各ＬＥＤ照明部材２３の端部に設けられるＬＥＤ素子４０からの照射光を透光するため、当該ＬＥＤ素子４０に対応する部分には、ＬＥＤ用透孔２０Ｂが形成されている。
【００４８】
なお、当該反射板２０は、保持部材２４のシェード保持部２７Ａ、２７Ｂの角隅部により着脱自在に係合されるものとしてもよいが、これに限定されるものではなく、図示しない固定ネジによって、保持部材２４に固定可能としてもよい。
【００４９】
一方、天井部仕切板４Ｂの下面には、内層吐出口１６の後方に位置して複数の取付具３４が所定間隔を存してネジ止めにより固定されている。当該取付具３４は、例えば図２に示すように、下方に開口する断面略コ字状に形成されており、両下端には、保持部材２４を係脱自在に保持（挟持）する係合部３５、３６が形成されている。
【００５０】
係る構成により、天井部仕切板４Ｂに照明装置２１の取付手順について説明する。まず、保持部材２４の開口部と対向する面にＬＥＤ照明部材２３を取り付ける。そして、各ＬＥＤ照明部材２３から引き出されるリード線３７の各配線用コネクタ３０を隣接するＬＥＤ照明部材２３の配線用コネクタ３０と接続する。
【００５１】
その後、保持部材２４の開口部側から反射板２０を取り付け、これにより、配線用コネクタ３０を被覆する。その後、保持部材２４の開口部に形成されるシェード保持部２７Ａ、２７Ｂによりシェード２５を係止させる。
【００５２】
そして、ＬＥＤ照明部材２３が取り付けられた保持部材２４を天井部仕切板４Ｂに固定される取付具３４に取り付ける。即ち、本実施例では、保持部材２４に形成された係合部２９(前壁側)を取付具３４の前側に形成される係合部３６に係止させ、その後、保持部材２４に形成された凹部２８（後壁側）を取付具３４の後側に形成される係合部３５に係止させる。
【００５３】
これにより、当該保持部材２４は、内層吐出口１６の後方に位置して天井部仕切板４Ｂに取り付けられる。このとき、ＬＥＤ照明部材２３が設けられた保持部材２４は、前壁の係合部２９を取付具３４の前側の係合部３６に係合させた状態で、後壁に形成される凹部２８を取付具３４の後側の係合部３５により係合させることで、ＬＥＤ照明部材２３の各ＬＥＤ素子４０は、陳列室１１の後下方に向けて取り付けられることとなる。
【００５４】
従って、係る照明装置２１からの照射光は、後下方に向けて照射されるため、図１に示すように陳列室１１内に架設される最上段の棚上を照明することができる。また、当該照明装置２１が取り付けられる天井部仕切板４Ｂは前端が後端よりも高くなるように傾斜して形成されているため、天井部仕切板４Ｂの前部に設けられる照明装置２１からの照射光は、天井部仕切板４Ｂの後部に向けて照射されることとなる。
【００５５】
そのため、陳列室１１天井前部に設けられる照明装置２１のＬＥＤ素子４０によって、後下方及び天井面を効果的に照明することが可能となる。従って、本実施例の如く陳列室１１内に複数段の棚が架設されている場合には、最上段の棚板３２上及びその奥方ををより明るく照明することができ、浮き立つような照明効果によりショーケース全体の外観・印象の向上、更には、陳列室１１上部をより広く見せることが可能となる。
【００５６】
特に、本実施例では、天井部仕切板４Ｂと背部仕切板４Ａとにより形成される角隅部には、陳列室１１側に面する鏡部材２２が設けられているため、より一層照明装置２１からの照射光を陳列室１１側に反射させ、最上段の棚板３２上の照明効果を向上させることができる。
【００５７】
また、本実施例では、上述したように、保持部材２４に保持される各ＬＥＤ照明部材２３間に位置して設けられる配線用コネクタ３０は、反射板２０にて被覆されるため、配線用コネクタ３０を隠蔽することができる。これにより、シェード２５越しに配線用コネクタ３０が透けて見えてしまう不都合を解消することができ、外観の向上を図ることができる。
【００５８】
保持部材２４内で乱反射するＬＥＤ素子４０からの光を、当該反射板２０により更に外部（この場合陳列室１１内）に向けて反射させることができ、配線用コネクタが存在することによる照明への悪影響を改善し、陳列室１１内をより効果的に照明することが可能となる。
【００５９】
なお、本実施例では、当該反射板２０は、上述したように保持部材２４の断面形状に沿って形成されているが、これに限定されるものではなく、例えば図７に示されるように可撓性の材料により反射板４８を構成し、撓ませながら両端部を保持部材２４内に収容し、シェード保持部２７Ａ等と係合させることにより、着脱自在に取付可能としてもよい。
【００６０】
また、本実施例では、反射板２０は各ＬＥＤ照明部材２３の端部間に渡って配線用コネクタ３０を被覆するように幅広に形成されているが、これに限定されるものではなく、上述したような反射板４８を図８に示すように配線用コネクタ３０を被覆することができる幅に形成されているものであってもよい。
【００６１】
なお、上述した如き実施例では、所謂縦型のオープンショーケースに照明装置２１を取り付けたものを例として挙げているが、これに限定されるものではなく、複数のＬＥＤ照明部材２３を配線用コネクタ３０を使用して連結させて使用するものであれば、リーチインショーケースや平型のオープンショーケースであっても反射板２０、４８により同様に効果を奏することが可能となる。
【００６２】
また、上述したように陳列室１１の天井、即ち天井部仕切板４Ｂに取り付けられる照明装置２１は、予め天井部仕切板４Ｂに固定されている取付具３４に対し、保持部材２４が着脱自在に係合して取り付けられるので、容易に陳列室１１の天井にＬＥＤ照明部材２３を取り付けることが可能となる。照明装置２１自体の着脱が容易であるため、メンテナンス作業性が向上される。
【００６３】
更に、図９に示すように、照明装置２１の後方に位置する天井部仕切板４Ｂに下方に向けて一段低くなるような段差部４Ｃを形成し、当該段差部４Ｃの前面（傾斜面）に、図示しない複数の透孔を設けてもよい。
【００６４】
そして、図９の実線矢印にて示すように、当該透孔より内層ダクト５内を流通する冷気の一部を直接陳列室１１内に吐出させ、図の実線矢印にて示すように、各取付具３４間に形成される隙間５０に冷気を流通させてもよい。
【００６５】
これにより、ＬＥＤ素子４０への通電により発熱する基板２６からの廃熱を当該冷気流によって冷却することが可能となる。従って、ＬＥＤ照明部材２３の劣化や故障を防止・抑制することができる。
【００６６】
また、本実施例では、取付具３４に設けられる各係合部３５、３６により、所定の角度にのみ照明装置２１を取付可能としているが、これに限定されるものではなく、図１０に示すように、取付具５１の前側の係合部に異なる複数の角度にて保持可能とする係合部５１Ａ、５１Ｂ・・を形成し、保持部材２４の係合部２９と係合させる取付具５１の係合部を変更することで、照明装置２１の取付角度を変更可能としてもよい。
【００６７】
これにより、使用目的に応じて照明の角度を任意に変更することが可能となり、多様な照明を実現することができる。
【図面の簡単な説明】
【００６８】
【図１】本発明を適用したショーケースの縦断側面図である。
【図２】図１の部分拡大図である。
【図３】図１の部分拡大図である。
【図４】ＬＥＤ照明部材の取付状態を示す図である。
【図５】照明装置の平面図である。
【図６】照明装置の断面図である。
【図７】他の実施例としての照明装置の断面図である。
【図８】他の実施例としての照明装置の平面図である。
【図９】他の実施例としてのショーケースの部分拡大断面図である。
【図１０】他の実施例としてのショーケースの部分拡大断面図である。
【符号の説明】
【００６９】
１    ショーケース
３、４  仕切板
４Ａ  背部仕切板
４Ｂ  天井部仕切板
４Ｃ  段差部
５、６  ダクト
１１  陳列室
１６  内層吐出口
１７  外層吐出口
２０、４８  反射板
２０Ａ  コネクタ収容部
２０Ｂ  ＬＥＤ用透孔
２１  照明装置
２２  鏡部材
２３、３８  ＬＥＤ照明部材
２４  保持部材
２５、４６  シェード
２６  基板
２９、３５、３６、５１Ａ、５１Ｂ  係合部
３０  配線用コネクタ
３４、５１  取付具
３７  リード線
４０  ＬＥＤ素子
５０  隙間
【図１】
2009198017.tif 000003
【図２】
2009198017.tif 000004
【図３】
2009198017.tif 000005
【図４】
2009198017.tif 000006
【図５】
2009198017.tif 000007
【図６】
2009198017.tif 000008
【図７】
2009198017.tif 000009
【図８】
2009198017.tif 000010
【図９】
2009198017.tif 000011
【図１０】
2009198017.tif 000012